(57)【特許請求の範囲】
【請求項１】
基材シートとその基材シートに印刷された文字又は画像とを有するフィルムを０．１５ｍｍ〜０．７５ｍｍ幅にスリットした偽造防止糸であって、
前記文字又は画像は、前記基材シートへの印刷における送り方向に対して、平行、直角若しくは４５度の直線又はこれらの組み合わせからなることを特徴とする偽造防止糸。
【請求項２】
基材シートとその基材シートに印刷された文字又は画像とを有するフィルムを０．１５ｍｍ〜０．７５ｍｍ幅にスリットした平糸を芯糸に撚り合わせた偽造防止糸であって、
前記文字又は画像は、前記基材シートへの印刷における送り方向に対して、平行、直角若しくは４５度の直線又はこれらの組み合わせからなることを特徴とする偽造防止糸。
【請求項３】
前記文字又は画像は、印刷方法に応じて所定の線幅で印刷されることを特徴とする請求項１乃至２のいずれかに記載の偽造防止糸。
【請求項４】
前記基材シートの文字又は画像が印刷された面には、保護層を設けることを特徴とする請求項１乃至３のいずれかに記載の偽造防止糸。
【請求項５】
前記文字又は画像の印刷に使用されるインク、保護層又は基材シートと保護層とを接着する接着層は、蛍光性能、蓄光性能又は紫外線反射性能を有することを特徴とする請求項１乃至４いずれかに記載の偽造防止糸。
【発明の詳細な説明】
【技術分野】
【０００１】
本発明は、製品が真正商品であるかどうかを判定できる糸に関する。
【背景技術】
【０００２】
偽造品・模倣品によって、真正品の製造・販売業者は大きな被害を受けている。このような偽造品・模倣品は、技術の発展に伴って年々精巧になっており、専門家も判別が難しい場合も少なくない。このような偽造品・模倣品が市場に蔓延すると、真正品の売り上げを低下させるばかりでなく、真正品の品質に対する信頼を失わせることとなる。
【０００３】
このような偽造品・模倣品対策として、例えば、特開２００７−９２２５４に紫外線や赤外線が照射されると発色する糸が用いた偽造防止ラベルがある。この偽造防止ラベルは可視光が照射されても無色であるので、偽造品や模倣品の製造者及び販売者は、この偽造防止ラベルに紫外線や赤外線が照射されると発色する糸が用いられていることに気が付きにくい。
【先行技術文献】
【特許文献】
【０００４】
【特許文献１】特開２００７−９２２５４公報
【発明の概要】
【発明が解決しようとする課題】
【０００５】
上記特開２００７−９２２５４公報の発明では、紫外線・赤外線照射手段を使用しなければ、真正品か偽造品・模倣品か判別ができないという問題があった。実際に最終消費者が商品を購入するときに、常に紫外線・赤外線照射手段を持ち歩いているとは考えにくい。
【０００６】
また、偽造品・模倣品の製造技術の発展により、紫外線や赤外線が照射されると発色する糸が用いられている偽造防止ラベルさえも製造され、偽造品・模倣品との判別をより困難にするという問題もある。
【０００７】
また、偽造品や模倣品の製造者及び販売者とのいたちごっことなると、偽造品・模倣品対策にコストがかかることによって、製品価格に影響を及ぼす可能性もある。
【０００８】
上記点より本発明は、偽造品や模倣品の製造及び販売を抑制すべく、真正品か偽造品・模倣品か容易に判別可能な糸を安価に提供することを目的とする。
【課題を解決するための手段】
【０００９】
上記課題を解決するため、請求項１の偽造防止糸は、基材シートとその基材シートに印刷された文字又は画像とを有するフィルムを０．１５ｍｍ〜０．７５ｍｍ幅にスリットしたものであって、前記文字又は画像が、基材シートへの印刷における送り方向に対して、平行、直角若しくは４５度の直線又はこれらの組み合わせからなる。
【００１０】
請求項２の偽造防止糸は、基材シートとその基材シートに印刷された文字又は画像とを有するフィルムを０．１５ｍｍ〜０．７５ｍｍ幅にスリットした平糸を芯糸に撚り合わせたものであって、前記文字又は画像が、基材シートへの印刷における送り方向に対して、平行、直角若しくは４５度の直線又はこれらの組み合わせからなる。
【００１１】
請求項１から２の偽造防止糸によれば、フィルムを０．１５ｍｍ〜０．７５ｍｍ幅にスリットすることで、真正品である情報を表した糸又は平糸を安価に製造できる。また、消費者の間でカメラ付きの携帯電子機器等が普及しており、その携帯電子機器等のカメラで使用して糸を拡大することで、消費者自身が容易に真正品か偽造品・模倣品か容易に判別可能となる。消費者自身が容易に真正品か偽造品・模倣品か容易に判別可能となることで、偽造品・模倣品の製造及び販売を抑止できる可能性がある。
【００１２】
また、請求項１から２の偽造防止糸によれば、印刷において、文字又は画像を小さくしてもその文字又は画像を構成する直線間にスペースを確保できるので、文字又は画像が潰れにくく、かつ、文字又は画像が識別しやすい。
【００１３】
請求項３の偽造防止糸は、請求項１乃至２の偽造防止糸のいずれかにおいて、前記文字又は画像が印刷方法に応じて所定の線幅で印刷されるようになっている。
【００１４】
請求項３の偽造防止糸によれば、請求項１乃至２のいずれかの作用に加えて、文字又は画像が識別可能な範囲で、印刷方法に応じて限界まで線幅を細くできる。
【００１５】
請求項４の偽造防止糸は、請求項１乃至３の偽造防止糸のいずれかにおいて、前記基材シートの前記文字又は画像が印刷された面には、保護層を設ける。
【００１６】
請求項４の偽造防止糸によれば、請求項１乃至３のいずれかの作用に加えて、糸又は平糸がこすれることによって、印刷された文字又は画像が削れることを防止する。
【００１７】
請求項５の偽造防止糸は、請求項１乃至４の偽造防止糸のいずれかにおいて、前記文字又は画像の印刷に使用されるインク、保護層又はフィルムと保護層とを接着する接着層は、蛍光性能を有する。
【００１８】
請求項５の偽造防止糸によれば、請求項１乃至４のいずれかの作用に加えて、もし紫外線・赤外線照射手段を使用できる場合は、糸が発光することによって真正品であるという情報を表すことができる。また、糸の発光が真正品を表していると偽造品や模倣品の製造者及び販売者が誤解することで、糸自体に印刷された文字又は画像を気が付かない可能性があり、文字又は画像が真正品か偽造品・模倣品の判別に効果を発揮する。
【発明の効果】
【００１９】
請求項１から５のいずれかの発明によれば、偽造品や模倣品の製造及び販売を抑制すべく、真正品か偽造品・模倣品か容易に判別可能な糸を安価に製造することができる。
【図面の簡単な説明】
【００２０】
【図１】本発明の一実施形態の偽造防止糸を製造するためのフィルムの平面図である。
【図２】図１のフィルムの断面概略図である。
【図３】図１のフィルムをスリットした糸の平面図である。
【図４】印刷する文字の拡大図である。
【発明を実施するための形態】
【００２１】
本発明の一実施形態の偽造防止糸１について、以下説明する。
【００２２】
偽造防止糸１を製造するためのフィルム２は、図１に示すように、例えばポリエステルやナイロン等の合成樹脂からなる基材シート２１とその基材シートに印刷された文字又は画像を有する。本実施形態では機材シートが合成樹脂である場合について説明するが、これに限定されることなく、植物を原料とするレーヨンフィルム若しくはウェブ等、天然物由来の生分解性バイオマスフィルム若しくはシート等又は使用環境に耐えうる紙等であってもよい。
【００２３】
文字又は画像２２は、印刷方法に応じて所定の線幅で基材シート２１に印刷される。本実施形態の印刷方法では、線幅の下限を０．０３ｍｍとした。尚、印刷方法によっては、線幅を０．０３ｍｍ未満にすることも可能である。印刷方法は、スクリーン印刷、グラビア印刷、オフセット印刷、フレキソ印刷、インクジェット印刷又はデジタル印刷のいずれでもよい。インクについても、溶剤が水性又は油性のいずれでもよく、着色剤が染料又は顔料のいずれでもよい。
【００２４】
後述するフィルム２のスリットにおいて、スリット方向（図１中では横方向）に対して直角な方向（図１中では縦方向）に並ぶ文字又は画像２２の列２４は、隣り合う列２４の文字又は画像２２がこの直角な方向（図１中では縦方向）にずれるように印刷されている。後述するフィルム２のスリットにおいて、スリットの幅を変更しても、真正品か偽造品・模倣品か容易に判別可能な文字又は画像２２の一部が、確実に偽造防止糸１の表面に表示されるようにするためである。文字又は画像２２の印刷は、図１に示すような形態に限定されず、スリットした偽造防止糸１の表面に、真正品か偽造品・模倣品か容易に判別可能な文字又は画像２２の一部が表示されるようになっていれば、例えば、スリット方向に対して斜めに文字又は画像印刷されている形態や、規則性がなくランダムに文字又は画像が印刷されている形態のように、種々の改良が可能である。
【００２５】
フィルム２は、図２に示すように、基材シート２１の文字又は画像２２が印刷された面には、保護層２３を設ける。保護層は、基材シート２１の文字又は画像２２が印刷された面にコーティングして形成してもよいし、保護フィルムを基材シート２１の文字又は画像２２が印刷された面に接着層を介して接着して形成してもよい。
【００２６】
文字又は画像２２の印刷に使用されるインク、コーティング若しくは保護フィルムからなる保護層２３、又は、基材シート２１と保護層２３とを接着する接着層は、紫外線や赤外線などの特定の波長の電磁波に対する蛍光性能、蓄光性能又は紫外線反射性能を有していてもよい。
【００２７】
フィルム２を０．１５ｍｍ〜０．７５ｍｍ幅にスリットすると、図３に示す偽造防止糸１となる。偽造防止糸１の表面には、印刷された文字又は画像２２が表示されている。フィルム２をスリットしたものをそのまま偽造防止糸１として使用できるが、これに限定されることなく、フィルム２をスリットしたもの同士を撚り合わせたものを偽造防止糸としてもよいし、丸撚、蛇腹撚、羽衣撚、たすき撚、からみ撚、ブリヤン撚等の方法により、フィルム２をスリットした平糸を芯糸に撚り合わせたものを偽造防止糸としてもよい。
【００２８】
フィルム２に印刷される文字の一例として、アルファベット、記号及び数字を図４に示す。図４の表示は、実際に印刷される文字の大きさを１００倍に拡大したものである。これらの文字は、基材シート２１の印刷における送り方向に対して、平行、直角若しくは４５度の直線又はこれらの組み合わせからなる。
【符号の説明】
【００２９】
１    偽造防止糸
２    フィルム
２１  基材シート
２２  文字又は画像
２３  保護層
２４  列
【図１】
0006382113.tif 000002
【図２】
0006382113.tif 000003
【図３】
0006382113.tif 000004
【図４】
0006382113.tif 000005